(57)【要約】【課題】映像・音声データ記録媒体や、映像・音声再生装置にネットワークを介して接続された映像・音声データ提供装置上に記録された、同一タイトルで、画質・音質が異なる複数の映像・音声データの中から、映像・音声を途切れさせることなく再生できる、最も高画質・高音質の映像・音声データを自動的に選択し、再生することを目的とする。【解決手段】映像・音声再生装置で映像・音声を途切れさせることなく再生できる、最も高画質・高音質の映像・音声データを自動的に選択するために、映像・音声再生装置の再生能力、および接続されたネットワークのデータ転送速度と品位に関する情報を使用することを主要な特徴とする。【選択図】図１
2007028247.tif 000002
【特許請求の範囲】
【請求項１】
映像・音声データ記録媒体から映像・音声データを読込む映像・音声データ読込手段と、
映像・音声データ提供装置からネットワークを介し映像・音声データを取得するネットワーク接続手段と、
前記映像・音声データ読込手段と前記ネットワーク接続手段が読込んだ映像・音声データを、一時的に蓄える映像・音声データ蓄積手段と、
前記ネットワーク接続手段が前記映像・音声データ提供装置からデータを読込む時に、ネットワークのデータ転送速度と品位を検出できるネットワーク能力・品位検出手段と、
前記映像・音声データ蓄積手段へ蓄積した映像・音声データをデコードし、映像・音声として出力する映像・音声出力手段と、
前記映像・音声出力手段の再生能力を検出する再生能力検出手段と、
前記再生能力検出手段と、前記ネットワーク能力・品位検出手段から取得した情報を基に、前記映像・音声データ読込手段と前記ネットワーク接続手段を制御するシステム制御手段と
を備えた映像・音声再生装置。
【請求項２】
映像・音声再生装置が、再生する映像・音声データを選択する場合に、前記映像・音声データ記録媒体から前記映像・音声データ読込手段で取得した映像・音声データの情報、および前記映像・音声データ提供装置から前記ネットワーク接続手段で取得した映像・音声データの情報、および前記再生能力検出手段で取得した映像・音声出力手段の再生能力と映像・音声データ蓄積手段の蓄積可能なデータサイズ、および前記ネットワーク能力・品位検出手段で取得したネットワークのデータ転送速度と品位を基に、前記映像・音声データ読込手段および前記ネットワーク接続手段をシステム制御手段で制御することを特徴とする、請求項１記載の映像・音声再生装置。
【請求項３】
請求項１記載の映像・音声再生装置が、再生する映像・音声データを選択する場合に、
前記映像・音声データ記録媒体から前記映像・音声データ読込手段で映像・音声データの情報を取得し、前記映像・音声データ提供装置から前記ネットワーク接続手段で映像・音声データの情報を取得し、前記再生能力検出手段で、映像・音声出力手段の再生能力と映像・音声データ蓄積手段の蓄積可能なデータサイズを取得し、前記ネットワーク能力・品位検出手段で、ネットワークのデータ転送速度と品位を検出し、前記映像・音声データ読込手段、および前記ネットワーク接続手段、および前記再生能力検出手段、および前記ネットワーク能力・品位検出手段から取得した情報を基に映像・音声データ読込手段、およびネットワーク接続手段をシステム制御手段により制御することを特徴とする映像・音声再生装置の制御手法。
【発明の詳細な説明】
【技術分野】
【０００１】
本発明は、映像・音声再生装置に関するものである。
【背景技術】
【０００２】
近年、ＤＶＤなど記録メディアの容量の増加にともない、様々な種類の映像・音声データが一つのメディア上に記録されたディスクが一般に普及してきた。
【０００３】
また、ネットワークの普及にともない、ネットワーク上の映像・音声データ提供装置上に、同一タイトルで、画質・音質が異なる複数の映像・音声データが存在することもめずらしくない。
【０００４】
図４、図５を用いて、映像・音声再生装置でユーザが映像・音声データを選択する手順を説明する。図４に従来の映像・音声再生装置を示す。
【０００５】
従来の映像・音声再生装置８は、映像・音声データ記録媒体１に記録された映像・音声データ、および映像・音声データ記録媒体１に記録された映像・音声データを読込む、映像・音声データ読込部２と、映像・音声データ読込部２で読込まれた映像・音声データを一時的に蓄積する映像・音声データ蓄積部３と、映像・音声データ蓄積部３から転送される映像・音声データをデコードし、映像・音声として出力する映像・音声出力部４と、映像・音声出力部４からの情報を基に再生装置の再生能力を検出する再生能力検出部５と、ユーザからの入力を受け付けるユーザ入力手段７と、映像・音声データ読込部２と再生能力検出部５とユーザ入力手段７からの情報を基に、映像・音声データ読込部２と映像・音声出力部４を制御するシステム制御部６を備えている。
【０００６】
図５に従来の映像・音声再生装置の映像・音声データ選択画面を示す。
【０００７】
図４の映像・音声データ読込部２で読込まれた、映像・音声データ記録媒体１に記録された映像・音声データ一覧１０と、再生能力検出部５で検出された、映像・音声出力部４でデコードすることができる再生可能データ一覧９から、映像・音声データ記録媒体１上に記録された映像・音声データのうち、映像・音声再生装置８と映像・音声データ記録媒体１の組み合わせで再生が可能な映像・音声データのみを、システム制御部６により判別し、映像・音声出力部４を制御し、ユーザ選択可能データ一覧１２として表示画面１１に表示する。
【０００８】
ユーザがユーザ入力手段７により、ユーザ選択カーソル１３を操作し、ユーザ選択可能データ一覧１２から、再生する映像・音声データを選択すると、システム制御部６により、映像・音声データ読込部２が制御され、ユーザ選択カーソル１３で選択された映像・音声データが、映像・音声データ記録媒体１から読込まれる。
【０００９】
映像・音声再生装置８により、ユーザは選択する映像・音声データが実際に再生可能かどうかを気にすることなく、再生したい映像・音声データを選択することができる。
【００１０】
しかし、従来の映像・音声再生装置８では、映像・音声データ記録媒体１上に画質・音質が異なる同一タイトルの映像・音声データが複数記録されていて、記録されている映像・音声データの中から、最も高画質・高音質の映像・音声データを再生したい場合に、ユーザ選択可能一覧１２から、ユーザ入力手段７を用いて、ユーザ選択カーソル１３を操作し、一つ一つの映像・音声データを再生し、画質・音質を確認する必要がある。
【００１１】
また、再生する映像・音声データを、ネットワークを介して接続された映像・音声データ提供装置から取得することを考えた場合、映像・音声再生装置を設置する環境により、映像・音声再生装置と映像・音声データ提供装置間のネットワークのデータ転送速度や品位が変化するため、映像・音声データ提供装置と、映像・音声再生装置間のデータ転送速度が遅い時に、映像・音声再生装置で再生可能な、最も高画質・高音質の映像・音声データを選択すると、映像・音声が途切れ途切れに再生されることになり、十分な再生品位が得られない。
【特許文献１】特開平８−２８７６５４号公報
【発明の開示】
【発明が解決しようとする課題】
【００１２】
本発明は、映像・音声データ記録媒体や、映像・音声再生装置にネットワークを介して接続された映像・音声データ提供装置上に記録された、同一タイトルで、画質・音声の異なる複数の映像・音声データの中から、映像・音声を途切れさせることなく再生できる、最も高画質・高音質の映像・音声データを自動的に選択し、再生する映像・音声再生装置を提供することを目的とする。
【課題を解決するための手段】
【００１３】
本発明は、映像・音声再生装置で映像・音声を途切れさせることなく再生できる、最も高画質・高音質の映像・音声データを自動的に選択するために、映像・音声再生装置の再生能力、および接続されたネットワークのデータ転送速度と品位に関する情報を使用することを主要な特徴とする。
【発明の効果】
【００１４】
ネットワークを介して接続された映像・音声データ提供装置上の映像・音声データを再生することを考えた場合、映像・音声データを記録するための大容量の記憶領域を持たない、映像・音声再生装置にとって、ネットワークのデータ転送速度と品位は、映像・音声を途切れさせることなく再生する上で、重要な問題になる。
【００１５】
本発明では、ユーザは映像・音声再生装置の再生能力、および映像・音声再生装置が接続されているネットワークのデータ転送速度と品位に関する情報の習得や、映像・音声データ選択操作を行うことなく、映像・音声を途切れさせることなく再生できる最も高画質・高音質な映像・音声データを自動的に選択し、再生することができる。
【発明を実施するための最良の形態】
【００１６】
映像・音声再生装置の能力、および映像・音声再生装置と映像・音声データ提供装置間のネットワークのデータ転送速度と品位に関する情報を使用することで、映像・音声再生装置とネットワークを介して接続された映像・音声データ提供装置上の映像・音声データのうち、映像・音声を途切れさせることなく、最も高画質・高音質の映像・音声を自動的に選択することを実現する。
（実施の形態１）
図１に本発明実施形態における映像・音声再生装置１０９を示す。
【００１７】
映像・音声データ記録媒体１０１上の映像・音声データは、映像・音声データ読込部１０２により読込まれ、映像・音声データを一時的に蓄積する映像・音声データ蓄積部１０３に蓄えられる。
【００１８】
映像・音声データ蓄積部１０３に蓄えられた映像・音声データは、映像・音声出力部１０４に転送され、映像・音声として出力される。
【００１９】
第１の映像・音声データ提供装置１１１、および第２の映像・音声データ提供装置１１２上の映像・音声データは、ネットワーク接続部１０７により、ネットワーク１１０を介して読込まれ、映像・音声データ蓄積部１０３に蓄えられた後、映像・音声出力部１０４に転送され、映像・音声として出力される。
【００２０】
第１の映像・音声データ提供装置１１１や第２の映像・音声データ提供装置１１２上に、画質・音質が異なる同一タイトルの映像・音声データが複数記録されている場合に、映像・音声出力部１０４の再生能力および映像・音声データ蓄積部１０３の蓄積可能データサイズを検出する再生能力検出部１０５、およびネットワーク１１０のデータ転送速度・品位を検出するネットワーク能力・品位検出部１０８の情報を基に、システム制御部１０６に制御された映像・音声データ読込部１０２、およびネットワーク接続部１０７により、特定の映像・音声データが読込まれ、映像・音声データ蓄積部１０３に蓄えられた後、映像・音声出力部１０４に転送され、映像・音声として出力される。
【００２１】
図２に本発明実施形態における映像・音声データ選択処理手順を示す。
【００２２】
再生装置の再生能力検出ステップ（Ｓ１）で、映像・音声出力部１０４で出力可能な映像・音声データ種別、および映像・音声データ蓄積部１０３の蓄積可能なデータサイズを取得する。
【００２３】
映像・音声データ一覧取得ステップ（Ｓ２）で、第１の映像・音声データ提供装置１１１および第２の映像・音声データ提供装置１１２上の映像・音声データの一覧を取得する。
【００２４】
ネットワーク能力・品位検出ステップ（Ｓ３）で、ネットワーク１１０のデータ転送能力と、実際のデータ転送速度を取得する。
【００２５】
再生可能データ転送レート算出ステップ（Ｓ４）で、再生装置の再生能力検出ステップ（Ｓ１）とネットワーク能力・品位検出ステップ（Ｓ３）で取得した情報を基に、映像・音声が途切れることなく再生可能な映像・音声のデータ転送レートの最大値を算出する。
【００２６】
映像・音声データ選択ステップ（Ｓ５）で、映像・音声データ一覧取得ステップ（Ｓ２）で取得した、映像・音声データの一覧から、再生可能データ転送レート算出ステップ（Ｓ４）で算出したデータ転送レート以下で、最もデータ転送レートが高い映像・音声データを検索する。
【００２７】
上記Ｓ１からＳ５のステップを実行することで、第１の映像・音声データ提供装置１１１および第２の映像・音声データ提供装置１１２上の映像・音声データの中で、映像・音声が途切れることなく再生可能な、最も高画質・高音質の映像・音声データを選択し、再生することができる。
【００２８】
次に、図３を用いて本発明実施形態における、映像・音声が途切れることなく再生することが可能な映像・音声データの転送レート上限の算出方法を説明する。図３に本発明実施形態における映像・音声データ転送部分を示す。
【００２９】
第１の映像・音声データ提供装置１１１は、データ転送路２００ａにより、映像・音声データ蓄積部１０３と接続されている。
【００３０】
データ転送路２００ａ上をデータが転送される場合、データ転送路２００ａのエラーにより、実際のデータ転送速度２０２ｂは理想のデータ転送速度２０２ａより小さい値になる。よって第１の映像・音声データ提供装置１１１上のサイズ２０１ａのデータが、データ転送路２００ａを通り、映像・音声データ蓄積部１０３に読込まれるまでには、時間２０３ａがかかり、その間、データ転送路２００ａのエラーにより、実際にはデータが読込まれない時間２０３ｂが発生する。
【００３１】
映像・音声データ蓄積部１０３に読込まれた映像・音声データは、データ転送路２００ｂを通り、映像・音声のデータ転送速度２０２ｃに従い、映像・音声として出力される。データ転送速度２０２ｃが大きいほど、出力される映像・音声は、高画質・高音質になる。
【００３２】
ここで、既知である第１の映像・音声データ提供装置１１１上のデータのデータサイズ２０１ａと、データ転送にかかる時間２０３ａと、データ転送路２００ａのデータ転送速度２０２ａと、映像・音声データ蓄積手段１０３に蓄積可能なデータサイズ２０１ｂから、映像・音声を途切れさせることなく再生することができるデータ転送速度２０２ｃの最大値を求めることを考える。
【００３３】
データ転送路２００ａの実際のデータ転送速度２０２ｂは、第１の映像・音声データ提供装置１１１上のデータのデータサイズ２０１ａと、第１の映像・音声データ提供装置１１１上のデータを、映像・音声データ蓄積部１０３に読込むのに必要な時間２０３ａを用いて（数１）で表される。
【００３４】
【数１】
2007028247.tif 000003
【００３５】
映像・音声データ提供装置１１１と映像・音声データ蓄積部１０３間のデータ転送路２００ａのエラーにより、映像・音声データ提供装置１１１から映像・音声データ蓄積部１０３へデータが転送されない時間２０３ｂの間に必要な映像・音声データは、映像・音声データ蓄積部１０３内の映像・音声データで補うことになるので、データ転送路２００ａの実際のデータ転送速度２０２ｂと、映像・音声データ提供装置１１１から映像・音声データ蓄積部１０３へデータが転送されない時間２０３ｂと、映像・音声データ蓄積部１０３に蓄積可能なデータサイズ２０１ｂの間に（数２）が成り立つ。（数２）の実際のデータ転送速度２０２ｂの部分に（数１）を代入すると(数３)が成り立つ。
【００３６】
【数２】
2007028247.tif 000004
【００３７】
【数３】
2007028247.tif 000005
【００３８】
第１の映像・音声データ提供装置１１１と映像・音声データ蓄積部１０３間のデータ転送路２００ａのエラーにより第１の映像・音声データ提供装置１１１から映像・音声データ蓄積部１０３へ映像・音声データが読込まれない時間２０３ｂの間、映像・音声データ蓄積部１０３に蓄積した映像・音声データで、映像・音声の再生を続けることで、映像・音声が途切れないよう再生する場合、映像・音声データ蓄積部１０３に蓄積可能なデータサイズ２０１ｂと、データ転送路２００ｂのデータ転送速度２０２ｃと、第１の映像・音声データ提供装置１１１から映像・音声データ蓄積部１０３へデータが転送されない時間２０３ｂの間に（数４）が成り立つ。（数３）の式を用いて（数４）を整理すると（数５）になる。
【００３９】
【数４】
2007028247.tif 000006
【００４０】
【数５】
2007028247.tif 000007
【００４１】
次に、時間２０３ａの間に、データ転送路２００ａのエラーによりデータ転送されない時間２０３ｂの間に、映像・音声データ蓄積部１０３内に蓄積可能な映像・音声データを全て使用するには、残りの時間（２０３ａ―２０３ｂ）で、映像・音声データ蓄積部１０３が蓄積可能なデータサイズ２０１ｂを、映像・音声データ蓄積部１０３に読込む必要がある。
【００４２】
時間２０３ａの間に、映像・音声データ蓄積部１０３に読込むことができるデータサイズは、データ転送路２００ａの実際のデータ転送速度２０２ｂと、実際にデータを読込まれる時間２０３ａ―２０３ｂを用いて（数６）で表すことができる。
【００４３】
【数６】
2007028247.tif 000008
【００４４】
時間２０３ａの間に、映像・音声データ蓄積部１０３から映像・音声として出力されるデータサイズは、データ転送路２００ｂのデータ転送速度２０２ｃを用いて（数７）で表すことができる。
【００４５】
【数７】
2007028247.tif 000009
【００４６】
映像・音声データ蓄積部１０３に読込まれるデータサイズから、映像・音声データ蓄積部１０３から映像・音声として出力されるデータサイズを引いたものが、映像・音声データ蓄積部１０３に蓄積されるデータサイズになる。
【００４７】
よって、時間２０３ａの間に、映像・音声データ蓄積部１０３が蓄積可能なデータサイズ２０１ｂを、映像・音声データ蓄積部１０３に読込む場合、（数８）を満たす必要がある。
【００４８】
【数８】
2007028247.tif 000010
【００４９】
（数１）と（数３）の式を用いて（数８）を整理すると（数９）になる。
【００５０】
【数９】
2007028247.tif 000011
【００５１】
従って、映像・音声データ蓄積部１０３に蓄積可能なデータサイズ、および映像・音声データ蓄積部１０３への映像・音声データの入出力の関係より、（数１０）と（数１１）を同時に満たす映像・音声のデータ転送速度２０２ｃを求めることで、映像・音声が途切れることなく再生することが可能な映像・音声のデータ転送レートの上限が算出できる。
【００５２】
【数１０】
2007028247.tif 000012
【００５３】
【数１１】
2007028247.tif 000013
【００５４】
一例として、映像・音声出力部１０４としてＭＰＥＧ４の圧縮方式をデコード可能なデコードＬＳＩと映像・音声データ蓄積部１０３として１０ＭビットのＲＡＭを有する映像・音声再生装置１０９、およびタイトル名がＴＩＴＬＥ１、圧縮方式がＭＰＥＧ４、データ転送レートが１Ｍｂｐｓの映像・音声データと、タイトル名がＴＩＴＬＥ１、圧縮方式がＭＰＥＧ４、データ転送レートが２Ｍｂｐｓの映像・音声データと、タイトル名がＴＩＴＬＥ１、圧縮方式がＭＰＥＧ４、データ転送レートが５Ｍｂｐｓの映像・音声データと、タイトル名がＴＩＴＬＥ１、圧縮方式がＭＰＥＧ２、データ転送レートが２Ｍｂｐｓの映像・音声データと、タイトル名がＴＩＴＬＥ２、圧縮方式がＭＰＥＧ４、データ転送レートが２Ｍｂｐｓの映像・音声データの５種類の映像・音声データが記録された、第１の映像・音声データ提供機器１１１、および映像・音声再生装置１０９と第１の映像・音声データ提供装置１１１間がネットワーク１１０で接続されている場合に、映像・音声再生装置１０９がＴＩＴＬＥ１のタイトル名を有する映像・音声データを再生する場合を考える。
【００５５】
まず、映像・音声再生装置１０９は、再生能力検出部１０５で、ＭＰＥＧ４をデコード可能な映像・音声出力部１０４と、映像・音声データ蓄積部１０３として１０ＭビットのＲＡＭを有することを検出する。
【００５６】
次に、映像・音声再生装置１０９は、タイトル名と圧縮方式とデータ転送レートの情報からなる第１の映像・音声データ提供装置１１１上の映像・音声データの一覧を、ネットワーク１１０を介して第１の映像・音声データ提供装置１１１から取得する。
【００５７】
映像・音声再生装置１０９は、上記映像・音声データの一覧を、ネットワーク１１０を介して第１の映像・音声データ提供装置１１１から取得する際に、ネットワーク能力・品質として、ネットワーク１１０のデータ転送速度を算出する。
【００５８】
映像・音声データ一覧のデータサイズが５０Ｍビットで、映像・音声再生装置１０９が、第１の映像音声データ提供装置１１１から映像・音声データ一覧を取得するのに１０秒を要した場合、ネットワーク１１０のデータ転送速度は５０Ｍビット／１０秒となり、５Ｍｂｐｓになる。
【００５９】
次に、映像・音声再生装置１０９は、映像・音声が途切れることなく再生することが可能な映像・音声データのデータ転送レートを算出する。
【００６０】
（数１０）と（数１１）の式から、映像・音声再生装置１０９が、映像・音声が途切れることなく再生することが可能な映像・音声のデータ転送レートは、３Ｍｂｐｓになる。
【００６１】
まず、映像・音声データ一覧のタイトル名から、今再生しようとしているＴＩＴＬＥ１の映像・音声データとしてタイトル名がＴＩＴＬＥ１、圧縮方式がＭＰＥＧ４、データ転送レートが１Ｍｂｐｓの映像・音声データと、タイトル名がＴＩＴＬＥ１、圧縮方式がＭＰＥＧ４、データ転送レートが２Ｍｂｐｓの映像・音声データと、タイトル名がＴＩＴＬＥ１、圧縮方式がＭＰＥＧ４、データ転送レートが５Ｍｂｐｓの映像・音声データと、タイトル名がＴＩＴＬＥ１、圧縮方式がＭＰＥＧ２、データ転送レートが２Ｍｂｐｓの映像・音声データと、の４つであることが判別できる。
【００６２】
次に、映像・音声再生装置１０９が再生可能な圧縮方式がＭＰＥＧ４で、映像・音声が途切れることなく再生することが可能なデータ転送速度は３Ｍｂｐｓであることから、映像・音声再生装置１０９で映像・音声をとぎれさせることなく再生可能な、映像・音声データ提供装置１１１上の映像・音声データは、タイトル名がＴＩＴＬＥ１、圧縮方式がＭＰＥＧ４、データ転送レートが１Ｍｂｐｓの映像・音声データと、タイトル名がＴＩＴＬＥ１、圧縮方式がＭＰＥＧ４、データ転送レートが２Ｍｂｐｓの映像・音声データの２つになる。
【００６３】
最後に、タイトル名がＴＩＴＬＥ１、圧縮方式がＭＰＥＧ４、データ転送レートが１Ｍｂｐｓの映像・音声データと、タイトル名がＴＩＴＬＥ１、圧縮方式がＭＰＥＧ４、データ転送レートが２Ｍｂｐｓの映像・音声データのデータ転送レートを比較し、映像・音声再生装置１０９が、映像・音声を途切れさせることなく再生可能な最も高画質・高音質の映像・音声データとして、タイトル名がＴＩＴＬＥ１、圧縮方式がＭＰＥＧ４、データ転送レートが２Ｍｂｐｓの映像・音声データが選択される。
【産業上の利用可能性】
【００６４】
本発明は、映像・音声再生装置の再生能力、および映像・音声再生装置と映像・音声データ提供装置間のネットワークのデータ転送速度と品位を基に、映像・音声データ提供装置上の映像・音声データを自動的に選択することにより、映像・音声を途切れさせることなく再生できる最も高画質・高音質の映像・音声データを自動的に選択し再生することができるという用途にも適用できる。
【図面の簡単な説明】
【００６５】
【図１】本発明の実施形態における映像・音声再生装置の構成図
【図２】本発明の実施形態における映像・音声データ選択処理フロー図
【図３】本発明の実施形態における映像・音声データ選択処理説明図
【図４】従来の映像・音声再生装置の構成図
【図５】従来の映像・音声再生装置の映像・音声データ選択画面図
【符号の説明】
【００６６】
１０１    映像・音声データ記録媒体
１０２    映像・音声データ読込部
１０３    映像・音声データ蓄積部
１０４    映像・音声出力部
１０５    再生能力検出部
１０６    システム制御部
１０７    ネットワーク接続部
１０８    ネットワーク能力・品位検出部
１０９    映像・音声再生装置
１１０    ネットワーク
１１１    映像・音声データ提供装置１
１１２    映像・音声データ提供装置２
Ｓ１    再生能力検出ステップ
Ｓ２    映像・音声データ一覧取得ステップ
Ｓ３    ネットワーク能力・品位検出ステップ
Ｓ４    再生可能データ転送レート算出ステップ
Ｓ５    映像・音声データ選択ステップ
２００ａ    映像・音声データ提供装置１１１と映像・音声データ蓄積部間１０３のデータ転送路
２００ｂ    映像・音声データ蓄積部１０３から映像・音声出力する際のデータ転送路
２０１ａ    映像・音声データ提供装置１１１上のデータのデータサイズ
２０１ｂ    映像・音声データ蓄積部１０３に蓄積可能なデータサイズ
２０２ａ    データ転送路２００ａのデータ転送速度
２０２ｂ    データ転送路２００ａの実際のデータ転送速度
２０２ｃ    データ転送路２００ｂのデータ転送速度
２０３ａ    映像・音声データ提供装置１１１から映像・音声データ蓄積部１０３へデータサイズ２０１ａのデータを転送するのに必要な時間
２０３ｂ    映像・音声データ提供装置１１１から映像・音声データ蓄積部１０３へデータサイズ２０１ａのデータを転送する際に、データ転送が途切れる時間
【図１】
2007028247.tif 000014
【図２】
2007028247.tif 000015
【図３】
2007028247.tif 000016
【図４】
2007028247.tif 000017
【図５】
2007028247.tif 000018